(57)【要約】【課題】各種カテゴリ別コンテンツ情報の相互融合を図り、かつ生活必需情報を統合した各種カテゴリ別コンテンツ情報を１つのポータルサイトに統合して配信することができる。【解決手段】プログラム実行手段２０で実行されたカテゴリ／コンテンツ情報をユーザーの指定した配置順序にカテゴリ別にコンテンツ情報を統合表示してユーザーに同時に配信する。【選択図】図３
2004280841.tif 000002
【特許請求の範囲】
【請求項１】
カテゴリ別コンテンツ原情報をコンテンツ保持者からオンライン又はオフラインで入手する入手手段と；
前記カテゴリ別コンテンツ原情報をクライアントの出力要求情報に応じて解析・加工・フォーマット変換する解析加工変換手段と；
前記解析加工変換されたカテゴリ別コンテンツ情報を蓄積する蓄積手段と；
ユーザーからのカテゴリ／コンテンツのリクエストに応じて前記蓄積手段からカテゴリ／コンテンツ情報を抽出するためのプログラム実行手段と；
前記プログラム実行手段で実行されたカテゴリ／コンテンツ情報をユーザーの指定した配置順序にカテゴリ別にコンテンツ情報を統合表示してユーザーに同時に配信するためのカテゴリ／コンテンツ統合表示配信手段と：
を備える携帯情報端末を使用した情報配信システム。
【請求項２】
カテゴリ別コンテンツ原情報をコンテンツ保持者からオンライン又はオフラインで入手する入手手段と；
前記カテゴリ別コンテンツ原情報をクライアントの出力要求情報に応じて解析・加工・フォーマット変換する解析加工変換手段と；
前起解析加工変換されたカテゴリ別コンテンツ情報を蓄積する蓄積手段と；
ユーザーからのカテゴリ／コンテンツのリクエストに応じて前記蓄積手段からコンテンツ／カテゴリを抽出するためのプログラム実行手段と；
前記プログラム実行手段で実行されたカテゴリ／コンテンツ情報をユーザーの指定した配置順序にカテゴリ別にコンテンツ情報を統合表示してユーザーに同時に配信するためのカテゴリ／コンテンツ統合表示配信手段と、
ここで、天気情報又は天気予報カテゴリに隣接して他のカテゴリが同時に表示される；
を備える携帯情報端末を使用した情報配信システム。
【請求項３】
カテゴリ別コンテンツ原情報をコンテンツ保持者からオンライン又はオフラインで入手する入手手段と；
前記カテゴリ別コンテンツ原情報をクライアントの出力要求情報に応じて解析・加工・フォーマット変換する解析加工変換手段と；
前記解析加工変換されたカテゴリ別コンテンツ情報を蓄積する蓄積手段と；
ユーザーからのカテゴリ／コンテンツのリクエストに応じて前記蓄積手段からコンテンツ／カテゴリを抽出するためのプログラム実行手段と；
前記プログラム実行手段で実行されたカテゴリ／コンテンツ情報をユーザーの指定した配置順序にカテゴリ別にコンテンツ情報を統合表示してユーザーに同時に配信するためのカテゴリ／コンテンツ統合表示配信手段と、
前記カテゴリ／コンテンツ統合表示配信手段は、定期配信カスタマイズメール、不定期配信速報メール又は定期配信詳細メールを実行する；
を備える携帯情報端末を使用した情報配信システム。
【請求項４】
カテゴリ別コンテンツ原情報をコンテンツ保持者からオンライン又はオフラインで入手する入手手段と；
前記カテゴリ別コンテンツ原情報をクライアントの出力要求情報に応じて解析・加工・フォーマット変換する解析加工変換手段と；
前記解析加工変換されたカテゴリ別コンテンツ情報を蓄積する蓄積手段と；
ユーザーからのカテゴリ／コンテンツのリクエストに応じて前記蓄積手段からカテゴリ／コンテンツ情報を抽出するためのプログラム実行手段と；
前記プログラム実行手段で実行された天気情報並びに天気予報情報、イベント情報、地図情報を含むカテゴリ／コンテンツ情報をユーザーの指定した配置順序にカテゴリ別にコンテンツ情報を統合表示するカテゴリ／コンテンツ統合表示手段と；
前記カテゴリ／コンテンツ情報統合表示手段で表示された該情報統合表示画面から選ばれた個別のカテゴリ／コンテンツ情報に関連性のある個別のカテゴリ／コンテンツ情報を順次表示してユーザーに個別のカテゴリ／コンテンツ情報を配信するための個別コンテンツ情報表示配信手段と；
を備える携帯情報端末を使用した情報配信システム。
【請求項５】
前記個別コンテンツ情報表示配信手段は、イベント情報から該イベント場所の天気予報情報、地図情報の一方を表示し又は双方を順次に表示してユーザーに配信することを特徴とする請求項１項から４項のいずれか１項載の携帯情報端末を使用した情報配信システム。
【請求項６】
前記カテゴリ別コンテンツ原情報を蓄積するための手段をさらに備えることを特徴とする請求項１項から４項のいずれか１項載の携帯情報端末を使用した情報配信システム。
【請求項７】
前記ユーザーからのカテゴリ／コンテンツのリクエストに応じて前記プログラム実行手段を実行して処理されたカテゴリ／コンテンツ情報を蓄積するクライアント用蓄積手段をさらに備えることを特徴とする請求項１項から４項のいずれか１項載の携帯情報端末を使用した情報配信システム。
【請求項８】
前記クライアント用蓄積手段は、クライアント毎に出力要求情報を蓄積してなることを特徴とする請求項６記載の携帯情報端末を使用した情報配信システム。
【請求項９】
前記表示画面は、ＵＲＬリンク手段を備えることを特徴とする請求項３記載の携帯情報端末を使用した情報配信システム。
【請求項１０】
前記コンテンツ及び又はカテゴリを検索するための手段をさらに備えることを特徴とする請求項１項から４項のいずれか１項記載の携帯情報端末を使用した情報配信システム。
【請求項１１】
前記チケット情報を予約するための手段をさらに備えることを特徴とする請求項１から４項のいずれか１項記載の携帯情報端末を使用した情報配信システム。
【請求項１２】
前記コンテンツ情報は、市区町村レベルまで細分化され、該地域に合わせた情報であることを特徴とする請求項１から４項のいずれか１項記載の携帯情報端末を使用した情報配信システム。
【請求項１３】
前記気象情報並びに気象予報情報は、各地並びにユーザーの設定した任意地点、好ましくは該地点を中心にほぼｋｍメシュ平方から数２ｋｍメシュ平方地域のほぼ６時間から３時間先の気象情報及び天気予報であることを特徴とする請求項１から４項のいずれか１記載の携帯情報端末を使用した情報配信システム。
【請求項１４】
前記気象情報並びに気象予報情報は、時系列で２地点まで表示することができることを特徴とする請求項１３記載の携帯情報端末を使用した情報配信システム。
【請求項１５】
前記気象情報並びに気象予報情報は、予め設定された時刻より前の時刻、好ましくは約６０分〜３０分前に配信されることを特徴とする請求項１から４項のいずれか１項記載の携帯情報端末を使用した情報配信システム。
【請求項１６】
前記交通情報は、渋滞の始まる前の時刻、好ましくは約６０分〜約３０分前に渋滞情報を配信することを特徴とする請求項１から４項のいずれか１項記載の携帯情報端末を使用した情報配信システム。
【請求項１７】
コンテンツ情報を抽出するためのプログラム実行手段で実行された天気情報並びに天気予報情報、イベント情報、地図情報を含むカテゴリ／コンテンツ情報をユーザーの指定した配置順序にカテゴリ別にコンテンツ情報を統合表示する工程と；
前記カテゴリ／コンテンツ情報統合表示工程で表示された該情報統合表示画面から選ばれたカテゴリ／コンテンツ情報に関連性のある個別のカテゴリ／コンテンツ情報を順次表示してユーザーに配信する工程と；
前記ユーザーによって選ばれ及び配信された個別のカテゴリ／コンテンツ情報によりユーザーの趣味・嗜好さらにはエンターテイメント、地域の蜜着したイベントさらにはビジネスについて統計等をとる工程と；
を備えるマーケテング方法。
【請求項１８】
前記カテゴリ／コンテンツ情報は、イベント情報であることを特徴とする請求項１７項記載のマーケテング方法。
【発明の詳細な説明】
【技術分野】
【０００１】  本発明は、携帯情報端末を使用してニュース情報、天気情報並びに天気予報情報、イベント情報、地図情報、ＴＶ等番組情報、交通情報、チケット情報等のカテゴリ別コンテンツ情報を１つのポータルサイトから同時に配信するための携帯情報端末を使用した情報配信システム及びマーケテング方法に関する。
【背景技術】
【０００２】  現在、携帯電話やインターネット等で様々な生活情報コンテンツが配信される。しかしながら、それらは各々独立したコンテンツでしかありえない。また、ユーザーは、各々のコンテンツを閲覧するにはそれぞれのコンテンツ保持者と情報閲覧のための契約・登録を必要とする。図１は、従来におけるイベント情報を開催しているイベント会場を閲覧する方法を示す。まず、ユーザーは、イベント会社のサイトにアクセスする。そこで地域検索し知りたいイベントを決定してイベント情報の詳細を閲覧する。次に、イベント会場の地図を閲覧する場合には、地図会社のサイトにアクセスしイベント会場の地図を閲覧する。さらに、イベント会場の天気を見たい場合には、天気予報会社のサイトをアクセスしてイベント会場の天気を閲覧する。このように、ユーザーにとっては、各情報提供者サイトに随時アクセスする必要があり面倒であった。このような事情により、ユーザーは、関連する各カテゴリ別コンテンツ情報を統合して同時に閲覧することはできなかった。また、異なるカテゴリを閲覧するには再度カテゴリサイトを立ち上げなければならかった。
【発明の開示】
【発明が解決しようとする課題】
【０００３】  本発明は、上述した従来の欠点を鑑みてなされたもので、本発明の目的は、各種カテゴリ別コンテンツ情報の相互融合を図り、かつ生活必需情報を統合した各種カテゴリ別コンテンツ情報を１つのポータルサイトに統合して配信可能な携帯情報端末を使用した情報配信システム及び効果的なマーケテング結果を得ることができるマーケテング方法を提供することにある。
【課題を解決するための手段】
【０００４】  請求項１に係る携帯情報端末を使用した情報配信システムは、カテゴリ別コンテンツ原情報をコンテンツ保持者からオンライン又はオフラインで入手する入手手段と；前記カテゴリ別コンテンツ原情報をクライアントの出力要求情報に応じて解析・加工・フォーマット変換する解析加工変換手段と；前記解析加工変換されたカテゴリ別コンテンツ情報を蓄積する蓄積手段と；ユーザーからのカテゴリ／コンテンツのリクエストに応じて前記蓄積手段からカテゴリ／コンテンツ情報を抽出するためのプログラム実行手段と；前記プログラム実行手段で実行されたカテゴリ／コンテンツ情報をユーザーの指定した配置順序にカテゴリ別にコンテンツ情報を統合表示してユーザーに同時に配信するためのカテゴリ／コンテンツ統合表示配信手段と：を備える。【０００５】  請求項２に係る携帯情報端末を使用した情報配信システムは、カテゴリ別コンテンツ原情報をコンテンツ保持者からオンライン又はオフラインで入手する入手手段と；前記カテゴリ別コンテンツ原情報をクライアントの出力要求情報に応じて解析・加工・フォーマット変換する解析加工変換手段と；前記解析加工変換されたカテゴリ別コンテンツ情報を蓄積する蓄積手段と；ユーザーからのカテゴリ／コンテンツのリクエストに応じて前記蓄積手段からコンテンツ／カテゴリを抽出するためのプログラム実行手段と；前記プログラム実行手段で実行されたカテゴリ／コンテンツ情報をユーザーの指定した配置順序にカテゴリ別にコンテンツ情報を統合表示してユーザーに同時に配信するためのカテゴリ／コンテンツ統合表示配信手段と、ここで、天気情報又は天気予報カテゴリに隣接して他のカテゴリが同時に表示される；を備える。【０００６】  請求項３に係る携帯情報端末を使用した情報配信システムは、カテゴリ別コンテンツ原情報をコンテンツ保持者からオンライン又はオフラインで入手する入手手段と；前記カテゴリ別コンテンツ原情報をクライアントの出力要求情報に応じて解析・加工・フォーマット変換する解析加工変換手段と；前記解析加工変換されたカテゴリ別コンテンツ情報を蓄積する蓄積手段と；ユーザーからのカテゴリ／コンテンツのリクエストに応じて前記蓄積手段からコンテンツ／カテゴリを抽出するためのプログラム実行手段と；前記プログラム実行手段で実行されたカテゴリ／コンテンツ情報をユーザーの指定した配置順序にカテゴリ別にコンテンツ情報を統合表示してユーザーに同時に配信するためのカテゴリ／コンテンツ統合表示配信手段と、前記カテゴリ／コンテンツ統合表示配信手段は、定期配信カスタマイズメール、不定期配信速報メール又は定期配信詳細メールを実行する；を備える。【０００７】  請求項４に係る携帯情報端末を使用した情報配信システムは、カテゴリ別コンテンツ原情報をコンテンツ保持者からオンライン又はオフラインで入手する入手手段と；前記カテゴリ別コンテンツ原情報をクライアントの出力要求情報に応じて解析・加工・フォーマット変換する解析加工変換手段と；前記解析加工変換されたカテゴリ別コンテンツ情報を蓄積する蓄積手段と；ユーザーからのカテゴリ／コンテンツのリクエストに応じて前記蓄積手段からカテゴリ／コンテンツ情報を抽出するためのプログ���ム実行手段と；前記プログラム実行手段で実行された天気情報並びに天気予報情報、イベント情報、地図情報を含むカテゴリ／コンテンツ情報をユーザーの指定した配置順序にカテゴリ別にコンテンツ情報を統合表示するカテゴリ／コンテンツ統合表示手段と：前記カテゴリ／コンテンツ情報統合表示手段で表示された該情報統合表示画面から選ばれた個別のカテゴリ／コンテンツ情報に関連性のある個別のカテゴリ／コンテンツ情報を順次表示してユーザーに個別のカテゴリ／コンテンツ情報を配信するための個別コンテンツ情報表示配信手段と；を備える。【０００８】  請求項５に係る携帯情報端末を使用した情報配信システムは、前記個別コンテンツ情報表示配信手段が、イベント情報から該イベント場所の天気予報情報、地図情報の一方を表示し又は双方を順次に表示してユーザーに配信することを特徴とする。【０００９】  請求項６に係る携帯情報端末を使用した情報配信システムは、前記カテゴリ別コンテンツ原情報を蓄積するための手段をさらに備えることを特徴とする。【００１０】  請求項７に係る携帯情報端末を使用した情報配信システムは、前記ユーザーからのカテゴリ／コンテンツのリクエストに応じて前記プログラム実行手段を実行して処理されたカテゴリ／コンテンツ情報を蓄積するクライアント用蓄積手段をさらに備えることを特徴とする。【００１１】  請求項８に係る携帯情報端末を使用した情報配信システムは、前記クライアント用蓄積手段が、クライアント毎に出力要求情報を蓄積してなることを特徴とする。【００１２】  請求項９に係る携帯情報端末を使用した情報配信システムは、前記表示画面が、ＵＲＬリンク手段を備えることを特徴とする。【００１３】  請求項１０に係る携帯情報端末を使用した情報配信システムは、前記コンテンツ及び又はカテゴリを検索するための手段をさらに備えることを特徴とする。【００１４】  請求項１１に係る携帯情報端末を使用した情報配信システムは、前記チケット情報を予約するための手段をさらに備えることを特徴とする。【００１５】  請求項１２に係る携帯情報端末を使用した情報配信システムは、前記コンテンツ情報が、市区町村レベルまで細分化され、該地域に合わせた情報であることを特徴とする。【００１６】  請求項１３に係る携帯情報端末を使用した情報配信システムは、前記気象情報並びに気象予報情報が、各地並びにユーザーの設定した任意地点、好ましくは該地点を中心にほぼｋｍメシュ平方から数２ｋｍメシュ平方地域のほぼ６時間から３時間先の気象情報及び天気予報であることを特徴とする。【００１７】  請求項１４に係る携帯情報端末を使用した情報配信システムは、前記気象情報並びに気象予報情報が、時系列で２地点まで表示することができることを特徴とする。【００１８】  請求項１５に係る携帯情報端末を使用した情報配信システムは、前記気象情報並びに気象予報情報が、予め設定された時刻より前の時刻、好ましくは約６０分〜３０分前に配信されることを特徴とする。【００１９】  請求項１６に係る携帯情報端末を使用した情報配信システムは、前記交通情報が、渋滞の始まる前の時刻、好ましくは約６０分〜約３０分前に渋滞情報を配信することを特徴とする。【００２０】  請求��１７に係るマーケテング方法は、コンテンツ情報を抽出するためのプログラム実行手段で実行された天気情報並びに天気予報情報、イベント情報、地図情報を含むカテゴリ／コンテンツ情報をユーザーの指定した配置順序にカテゴリ別にコンテンツ情報を統合表示する工程と；前記カテゴリ／コンテンツ情報統合表示工程で表示された該情報統合表示画面から選ばれたカテゴリ／コンテンツ情報に関連性のある個別のカテゴリ／コンテンツ情報を順次表示してユーザーに配信する工程と；前記ユーザーによって選ばれ及び配信された個別のカテゴリ／コンテンツ情報によりユーザーの趣味・嗜好さらにはエンターテイメント、地域の蜜着したイベントさらにはビジネスについて統計等をとる工程と；を備える。【００２１】  請求項１８に係るマーケテング方法は、前記カテゴリ／コンテンツ情報が、イベント情報であることを特徴とする。
【発明の効果】
【００２２】  本発明に係る携帯情報端末を使用した情報配信システム及びマーケテング方法をによれば、各種カテゴリ別コンテンツ情報の相互融合を図り、かつ生活必需情報を統合した各種カテゴリ別コンテンツ情報を１つのポータルサイトに統合して配信することができ、また効果的なマーケテング結果を得ることができる。
【発明を実施するための最良の形態】
【００２３】  以下、本発明の一実施例を添付図面を参照して詳述する。
図２は、携帯情報端末を使用した情報配信システムの概略を示す。この実施例は、クライアントが１社の場合である。この情報配信システムは、カテゴリ別コンテンツ処理システムと、カテゴリ別コンテンツ配信ウエブシステムとを備える。【００２４】  カテゴリは、ニュース情報、天気情報並びに天気予報情報、イベント情報、地図情報、ＴＶ等番組情報、交通情報、チケット情報等であり、そしてこのカテゴリは、それぞれにコンテンツ原情報を備える。【００２５】  カテゴリ別コンテンツ情報処理システム１０は、カテゴリ別コンテンツ原情報源１２をコンテンツ保持者からオンライン又はオフラインで受け取り該原情報源を蓄積する蓄積手段１４と、前記カテゴリ別コンテンツ原情報をクライアントの解析・加工・データフォーマットの出力要求情報に基づいて解析し・加工し・データフォーマット変換するための解析加工変換手段１６と、前記解析・加工・変換したカテゴリ別コンテンツ情報を蓄積する蓄積手段１８と、ユーザーからのカテゴリ／コンテンツのリクエストに応じてプログラムを実行して前記蓄積手段１８からコンテンツ／カテゴリを抽出するためのプログラム実行手段２０とを備える。プログラム実行手段２０は、解析加工変換手段１６に内蔵されている。なお、前記解析加工変換手段１６は、予めクライアントから入手した出力要求情報に基づいて処理される。【００２６】  カテゴリ別コンテンツ配信ウエブシステムは、ユーザーからのカテゴリ／コンテンツ情報のリクエストに応じて前記プログラム実行手段２０を実行して処理されたカテゴリ／コンテンツ情報を蓄積するクライアント用蓄積手段２２と、該クライアント用蓄積手段２２からユーザーの出力要求情報に応じてカテゴリ／コンテンツ情報を取り出してユーザーの指定した配置順序にカテゴリ別にコンテンツ情報を統合表示してユーザーに同時に配信するためのカテゴリ／コンテンツ情報統合表示配信手段２４とを備える。すなわち、カテゴリ／コンテンツ情報統合表示配信手段２４は、カテゴリ／コンテンツ情報統合表示手段と該表示されたカテゴリ／コンテンツ情報配信手段とを備える。【００２７】  カテゴリ／コンテンツ情報統合表示配信手段２４は、個別コンテンツ詳細情報表示配信手段に連結されている。この個別コンテンツ詳細情報表示配信手段は、カテゴリ／コンテンツ情報統合表示画面から選ばれた個別のカテゴリ／コンテンツ情報に関連性のある個々のコンテンツ情報画面を順次表示する個別カテゴリ／コンテンツ情報表示手段と、前記個別コンテンツ情報をユーザーに配信するための個別コンテンツ情報配信手段を含む。例えば、カテゴリ／コンテンツ情報統合表示画面のイベント情報から該イベンド場所の天気予報情報、地図情報の一方を表示し又は双方を順次に表示してユーザーに配信する。【００２８】  前記カテゴリ／コンテンツ情報統合表示配信手段２４は、トップ面面に各カテゴリ／コンテンツ情報を統合して表示できる（図３参照）。すなわち、トップページには各コンテンツの入り口を設定して、その次に毎日欠かす事の出来ないニュース、天気情報をリアルタイムに更新してなる。このように上部位置には、ユーザーのお気に入りの情報や関連性が高い場所の情報等が任意に統合して設定出��る。また、各カテゴリのコンテンツ情報は、予め特定のユーザーが指定しておくことにより表示される。例えば、表示画面の上部から下部にカテゴリ順に政治ニュース、新宿の天気、東京のイベントが同じ画面に表示される（図４）。【００２９】  また、天気情報又は天気予報カテゴリに隣接して他のカテゴリが統合して配置されるようにカテゴリ位置を可変して配置することができる。すなわち、前記カテゴリ／コンテンツ情報統合表示画面の天気予報情報の下にイベント情報を（図５（ａ））、又はイベント情報の下にイベント会場の天気予報情報（図５（ｂ））を表示できる。【００３０】  すなわち、ユーザーが、カテゴリＡ，Ｂ，Ｃ、Ｄ、Ｅの中からカテゴリＡ，Ｃ，Ｄを選び、かつ表示の順序配置をＣ，Ａ，Ｄに指定してカテゴリ／コンテンツ情報の配信を携帯端末機である携帯電話機に要求した場合、カテゴリ／コンテンツ統合表示配信手段２４からユーザーの出力要求をプログラム実行手段２０に送る。プログラム実行手段２０は、クライアントのプログラムに基づいてカテゴリ別コンテンツ情報を蓄積する解析加工変換蓄積手段１８からカテゴリＡ，Ｃ，Ｄ及びそれらのコンテンツ情報を選び、クライアント用蓄積手段２２に蓄積する。カテゴリ／コンテンツ統合表示配信手段２４は、クライアント用蓄積手段２２に蓄積されたカテゴリＡ，Ｃ，Ｄ及びそれらのコンテンツ情報を統合して表示順序をＣ，Ａ，Ｄにして同時にユーザーに配信する。コンテンツ情報は、予めユーザーが指定しておいた内容で表示される。【００３１】  なお、上記の実施例においては、カテゴリ別コンテンツ処理システムとカテゴリ別コンテンツ配信ウエブシステムとは、異なる会社に設置されて運営される。例えば、カテゴリ別コンテンツ処理システムは、システム構築運営会社にあり、カテゴリ別コンテンツ配信ウエブシステムは、クライアントであるクレジットカード会社にある。この場合、カテゴリ別コンテンツ処理システムを構成するプログラム実行手段２０は、クライアント側のカテゴリ別コンテンツ配信ウエブシステムの中に設けてもよい。【００３２】  また、カテゴリ別コンテンツ処理システムとカテゴリ別コンテンツ配信ウエブシステムとは、同じ会社に、例えばシステム構築会社やシステム運営会社に設置されてもよい。【００３３】  また、上記の実施例では、システム構築運営会社は、１社のクライアントを対象にしているが、クライアントは複数社であってもよい。この場合、前記解析加工変換手段１６は、それぞれのクライアントの解析・加工・変換の出力要求情報を満たすように実行され、その結果、各クライアント毎のカテゴリ別コンテンツ情報の全てが蓄積手段１８に蓄積される。蓄積手段１８は、各クライアント毎に独立して設けてもよい。そして、プログラム実行手段２０は、各クライアント毎に実行プログラムを備える。そして、クライアントが複数ある場合、前記クライアント用蓄積手段は、クライアント毎に出力要求情報を蓄積する。この場合、クライアント用蓄積手段は、システム構築運営会社に設置され、クライアント側はカテゴリ／コンテンツ統合表示配信手段のみを備える。【００３４】  図６（ａ）及び図６（ｂ）は、イベント情報、イベント会場並びにイベント会場の天��情報を閲覧する順序を示す。まず、ユーザーは、カテゴリ別コンテンツ情報の統合画面からイベント情報をアクセスするとイベント情報詳細が表示される。次にイベント情報詳細画面の天気情報ボタン、イベント会場ボタンを押すとイベント会場の天気が、またイベント会場の地図が表示される。ユーザーは、イベント情報、イベント会場並びにイベント会場の天気情報を各サイトを呼び出すことなく連続操作で閲覧することができる。【００３５】  そして、メール配信においても、ユーザーはカテゴリ別にコンテンツ情報を任意に設定できる。メール配信は、定期配信及び又は不定期配信を実行する。前記定期配信及び又は不定期配信は、前記各種コンテンツの中から任意に組み合わされて配信される。【００３６】  以下、カテゴリ別コンテンツ情報の詳細を詳述する。
コンテンツ情報は、市区町村レベルまで細分化され、該地域に合わせた情報である。天気予報コンテンツ情報は、各地の天気、ピンポイント天気、お出かけ天気を表示する。前記気象情報並びに気象予報情報は、各地並びにユーザーの設定した任意地点、好ましくはそれを中心に２ｋｍメシュ平方地域（ピンポイント地域）の天気を３時間先の気象情報及び天気予報である。前記気象情報並びに気象予報情報は、時系列で２地点まで表示することができる。札幌、仙台、――、東京、名古屋、大阪、――広島、福岡等の１８時〜２１時の３時間毎の各地の天気、各地の今日明日の天気、週間天気が表示される。上記ピンポイント地域の天気は、住所、郵便番号、駅名等で検索できる。また、お出かけ天気は、各地のランドマーク、飛行場、高速ＩＣ／ＳＡ／ＰＡ、遊園地、スタジアム、競馬場等の天気が表示される（図７（ａ））。【００３７】  ニュースコンテンツ情報は、リアルタイムな最新ニュース、スポーツ等を表示し、また、キーワードを入力することによりその単語に含まれるニュースが検索される（図７（ｂ））。イベントコンテンツ情報は、現在注目されているイベントを表示する。好ましくはの上位３位までを表示する。また、カテゴリ、ジャンル、フリーキーワード、ランキング、地域からの検索が可能である（図７（ｃ））。ＴＶ番組コンテンツ情報は、地域、気になる人、情報など知りたい事項をキーワード検索が可能である（図７（ｄ））。地図情報コンテンツは、住所、郵便番号、ＪＲ駅名、ランドマーク、マリン、高速ＩＣ、キーワードで検索が可能である（図７（ｅ））。【００３８】  前記コンテンツ統合表示配信手段は、顧客に定期配信カスタマイズメール、不定期配信速報メール又は定期配信詳細メールを実行する。
前記定期配信カスタマイズメールは、前記各カテゴリの各種コンテンツの中から任意に組み合わされて配信される。すなわち、カテゴリのニュース、天気、ＴＶ番組、イベントの中からユーザーが希望するコンテンツを組み合わせて、メール配信が可能である。一日最大２回までユーザーが設定した時間にメールの配信が可能である。【００３９】  また、不定期配信速報メールは、ユーザーが特定のカテゴリ及びそのコンテンツを設定することによりその設定に該当する内容が入手した時点でメールを配信する。例えば、雨予想速報の場合を説明する。境界となる降水確率を設定する。設定した降水確率より高い確率で雨が予想されるとメール配信される。気象情報並びに気象予報情報は、予め設定された目覚まし時刻より前の時刻、好ましくは約６０分から３０分前に配信される。交通情報は、渋滞の始まる前の時刻、好ましくは約６０分から３０分前に渋滞情報を配信する。地図情報は、前記渋滞情報に基づいて渋滞を避ける道標を提供する。【００４０】  また、ニュース速報、ＴＶ番組、イベント情報の場合、予めキーワードで設定した内容が入るとメール配信され、かつプライオリテイが高い情報については事前の告知時間にアラームを鳴らすことができる。定期配信詳細メールは、ニュース、天気、ＴＶ番組、イベントで個々にメール配信を設定する。ユーザーが、特定の情報を詳しく知りたい場合に対応する。配信設定は、一日４回から週一回までユーザーが選べる。例えば、ニュースの政治情報で一通、経済情報で一通、天気の東京情報で一通など、一人のユーザーが複数申し込みできる。【００４１】  これらは、上述したカテゴリ／コンテンツメール配信は、カテゴリ別コンテンツ処理システムとカテゴリ別コンテンツ配信ウエブシステムを使用して行われる。各コンテンツの前記表示画面には、各情報提供者のリンクアドレスが記載されており、ユーザーは、リンクアドレスを介して詳細な情報を閲覧することができる。また、チケットを予約することもできる。これら入手した情報は、携帯電話にＩＣカードを装着することによりＩＣカードに記憶させることができる。【００４２】  図８は、図６（ａ）で示した政治、天気、イベント、ＴＶ番組、地図のカテゴリの順番を表示するカテゴリ変更フローを示す。デフォルト表示は、ニュース、天気、ＴＶ番組及び地図であるが、顧客はこの表示を任意に変更することができる。該図にフローを説明する。顧客はレイアウト変更ボタンを押す。画面のＴＯＰに表示したい１つの枠、例えばイベントを指定する。次に表示したい枠、例えば天気を指定する。この操作を繰り返して行い所望のレイアウトを作ることができる。【００４３】  図９は、各カテゴリ内の表示を選択するフローを示す。顧客は、カテゴリ、例えばニュースを選択する。次に見出し、さらに表示数を選択する。例えば、ニュースにおいて１、主要ニュース、国内ニュース、経済ニュース、ーーーー、娯楽ニュースを選択し、次に表示する件数、もしくは表示しないことを選択する。次に他のカテゴリつついても同様に行う。【００４４】  図１０は、各カテゴリの表示有無を選択するフローを示す。各カテゴリの表示は表示「有」をデフォルトとしている。顧客は、カテゴリの表示／非表示選択ボタンを押して、次にカテゴリを選択する。選択したカテゴリ毎に表示・非表示を選択する。
【産業上の利用可能性】
【００４５】  携帯情報端末を使用してニュース情報、天気情報並びに天気予報情報、イベント情報、地図情報、ＴＶ等番組情報、交通情報、チケット情報等のカテゴリ別コンテンツ情報を１つのポータルサイトから同時に配信するための携帯情報端末を使用した情報配信システム及びマーケテング方法。
【図面の簡単な説明】
【００４１】
【図１】図１は、従来におけるイベント情報を開催しているイベント会場を閲覧する方法を示す概略図である。
【図２】図２は、本発明における携帯情報端末を使用した情報配信システムを示す概略図である。
【図３】図３は、本発明における携帯情報端末を使用した情報配信システムのトップ画面を示す概略図である。
【図４】図４は、本発明における携帯情報端末を使用した情報配信システムの特定ユーザーの画面を示す概略図である。
【図５（ａ）】図５（ａ）は、本発明における携帯情報端末を使用した情報配信システムで天気情報の下にイベント情報を配置した画面を示す概略図である。
【図５（ｂ）】図５（ｂ）は、本発明における携帯情報端末を使用した情報配信システムでイベント情報の下に天気情報を配置した画面を示す概略図である。
【図６（ａ）】図６（ａ）は、本発明における携帯情報端末を使用した情報配信システムで各種イベント情報を統合して配置した画面を示す概略図である。
【図６（ｂ）】図６（ｂ）は、本発明における携帯情報端末を使用した情報配信システムでイベント情報画面から天気情報画面、イベント会場の地図画面を表示する概略図である。
【図７（ａ）】図７（ａ）は、本発明における携帯情報端末を使用した情報配信システムの天気情報・予報画面を示す概略図である。
【図７（ｂ）】図７（ｂ）は、本発明における携帯情報端末を使用した情報配信システムのニュース情報画面を示す概略図である。
【図７（ｃ）】図７（ｃ）は、本発明における携帯情報端末を使用した情報配信システムのイベント情報画面を示す概略図である。
【図７（ｄ）】図７（ｄ）は、本発明における携帯情報端末を使用した情報配信システムのＴＶ番組情報画面を示す概略図である。
【図７（ｅ）】図７（ｅ）は、本発明における携帯情報端末を使用した情報配信システムの地図情報画面を示す概略図である。
【図８】図βは、カテゴリの順番を表示するカテゴリ変更フローを示す。
【図９】図９は、各カテゴリ内の表示を選択するフローを示す。
【図１０】図１０は、各カテゴリの表示有無を選択するフローを示す。
【符号の説明】
１０；カテゴリ別コンテンツ情報処理システム
１２；カテゴリ別コンテンツ原情報源
１４；原情報源を蓄積する蓄積手段
１６；解析加工変換手段
１８；カテゴリ別コンテンツ情報源蓄積手段
２０；プログラム実行手段
２２；クライアント用蓄積手段
２４；カテゴリ／コンテンツ情報統合表示配信手段
【図１】
2004280841.tif 000003
【図２】
2004280841.tif 000004
【図３】
2004280841.tif 000005
【図４】
2004280841.tif 000006
【図５（ａ）】
2004280841.tif 000007
【図５（ｂ）】
2004280841.tif 000008
【図６（ａ）】
2004280841.tif 000009
【図６（ｂ）】
2004280841.tif 000010
【図７（ａ）】
2004280841.tif 000011
【図８】
2004280841.tif 000012
【図９】
2004280841.tif 000013
【図１０】
2004280841.tif 000014